(57)【要約】【課題】壁に打ち込んだ釘等に吊るす壁掛けカレンダーに関し、定期的な交換が推奨される日用品を収容可能で、かつ、当該日用品の落下の虞が無く見た目も美しいカレンダーを提供することを課題とする。【解決手段】  年月日等を表示する表示部の周囲に小物を収容する収容部を形成した表示体を有するカレンダーであって、１枚の前記表示体の前記表示部と前記収容部とは同一の１枚のシートから形成されていることを特徴とするカレンダー。【選択図】図２
2017132115.tif 000002
【特許請求の範囲】
【請求項１】
年月日等を表示する表示部の周囲に小物を収容する収容部を形成した表示体を有するカレンダーであって、
１枚の前記表示体の前記表示部と前記収容部とは同一の１枚のシートから形成されていることを特徴とするカレンダー。
【請求項２】
請求項１に記載のカレンダーであって、
前記表示体の前記表示部には、前記収容部に収容された小物の推奨使用期間に相当する日数分の月日が表示されていることを特徴とするカレンダー。
【請求項３】
請求項１または２に記載のカレンダーであって、
少なくとも２枚以上の前記表示体が上端を合わせて重ねられていて、
それぞれの前記表示体に設けられた前記収容部は、互いに重ならないよう前記表示体毎にずらした位置に形成されていることを特徴とするカレンダー。
【請求項４】
請求項１〜３のいずれか１に記載のカレンダーであって、
前記収容部は前記表示体の下部を折り曲げ組み立てることにより形成されることを特徴とするカレンダー。
【請求項５】
請求項４に記載のカレンダーであって、
少なくとも２枚以上の前記表示体が上端を合わせて重ねられていて、
それぞれの前記表示体に設けられた前記収容部が重ならないように、奥側の前記表示体が１つ手前の前記表示体よりも前記収容部の高さ分だけ長く形成されていることを特徴とするカレンダー。
【請求項６】
請求項１〜５のいずれか１に記載のカレンダーであって、
前記収容部には前記表示部に表示されている年月日等の内容を示す内容表示部が設けられていることを特徴とするカレンダー。
【請求項７】
請求項１〜６のいずれか１に記載のカレンダーであって、
前記表示体を形成するシートは、坪量が１５０ｇ／ｍ２以上２５０ｇ／ｍ２以下の紙からなることを特徴とするカレンダー。
【発明の詳細な説明】
【技術分野】
【０００１】
本発明は、壁に打ち込んだ釘等に吊るす壁掛けカレンダーに関し、特には小物を収容可能な収容部を備えた壁掛けカレンダーに関する。
【背景技術】
【０００２】
歯ブラシ、剃刀の刃、及び防虫剤等の日用品は、定期的な交換が推奨されているものの交換時期が過ぎて性能が落ちてきてもそのまま使用を続ける使用者が少なくない。
このような日用品を性能が劣化したまま使用していると、期待される効果が得られないだけでなく剃刀の刃等では思わぬ怪我をすることにもつながりかねない。
【０００３】
定期的な交換が推奨される日用品に対して、従来はテレビコマーシャルや店頭表示等を用いて定期的な交換を促していたが、より積極的かつ実効的に定期的な交換を促す手法が検討されてきた。
【０００４】
そこで、カレンダーに商品サンプルを貼り付ける技術（例えば、特許文献１）を応用して、定期的な交換が推奨される日用品を粘着剤等によりカレンダーに貼り付ける手法が検討されてきた。
しかし、この手法においては、１年間使用するうちに粘着剤の粘着力が弱まって日用品が落下してしまったり、貼り付け位置の調整が難しく見た目が悪くなってしまったり、といった問題が生じていた。
【先行技術文献】
【特許文献】
【０００５】
【特許文献１】実用新案公開昭５８−３９８８０号公報
【発明の概要】
【発明が解決しようとする課題】
【０００６】
本発明は上記のような事情に鑑みてなされたもので、定期的な交換が推奨される日用品を収容可能で、かつ、当該日用品の落下の虞が無く見た目も美しいカレンダーを提供することを課題とする。
【課題を解決するための手段】
【０００７】
本発明は係る課題に鑑みなされたものであり、本発明のカレンダーは、年月日等を表示する表示部の周囲に小物を収容する収容部を形成した表示体を有するカレンダーであって、１枚の前記表示体の前記表示部と前記収容部とは同一の１枚のシートから形成されていることを特徴とする。
【０００８】
また、本発明のカレンダーの前記表示体の前記表示部には、前記収容部に収容された小物の推奨使用期間に相当する日数分の月日が表示されていても良い。
【０００９】
また、本発明のカレンダーは、少なくとも２枚以上の前記表示体が上端を合わせて重ねられていて、それぞれの前記表示体に設けられた前記収容部は、互いに重ならないよう前記表示体毎にずらした位置に形成されていても良い。
【００１０】
また、本発明のカレンダーの前記収容部は前記表示体の下部を折り曲げ組み立てることにより形成されていても良い。
このとき、少なくとも２枚以上の前記表示体が上端を合わせて重ねられていて、それぞれ
の前記表示体に設けられた前記収容部が重ならないように、奥側の前記表示体が１つ手前の前記表示体よりも前記収容部の高さ分だけ長く形成されていても良い。
【００１１】
また、本発明のカレンダーの前記収容部には前記表示部に表示されている年月日等の内容を示す内容表示部が設けられていても良い。
【００１２】
また、本発明のカレンダーの前記表示体を形成するシートは、坪量が１５０ｇ／ｍ２以上２５０ｇ／ｍ２以下の紙からなるものであっても良い。
【発明の効果】
【００１３】
本発明のカレンダーは、年月日等を表示する表示部の周囲に小物を収容する収容部を形成した表示体を有することにより、定期的な交換が推奨される日用品を収容することができる。また、１枚の前記表示体の前記表示部と前記収容部とは同一の１枚のシートから形成されていることにより、前記収容部に収容した小物が落下する虞が無い。さらに、１枚のシートで形成されていることにより、前記収容部の位置を予め設定することができるため、前記収容部の位置がばらばらになること無く見た目にも美しいカレンダーとすることが可能である。
【００１４】
また、前記表示部には、前記収容部に収容された小物の推奨使用期間に相当する日数分の月日が表示されていることにより、古くなった前記表示部を取り除くタイミングで前記収容部に収容された小物を取り出すと、それまで使っていた当該小物の推奨使用期間が経過するタイミングと合うので、推奨使用期間通りの定期的な交換を促すことが可能となる。
【００１５】
また、少なくとも２枚以上の前記表示体が上端を合わせて重ねられていて、それぞれの前記表示体に設けられた前記収容部は、互いに重ならないよう前記表示体毎にずらした位置に形成されている構成とすることにより、嵩張らずにすっきりとした見た目のカレンダーとすることが可能となる。また、全ての前記収容部が前面から見える状態となるため、それぞれの前記収容部に小物を収容する作業を容易に行うことが可能となる。
【００１６】
また、前記収容部は前記表示体の下部を折り曲げ組み立てることにより形成される構成とすることにより、上方に表示部、下方に収容部という配置になるため前記収容部に収容された小物を取り出しやすく、遠くから前記表示部に記された月日の確認をすることも容易になる。
また、奥側の前記表示体が１つ手前の前記表示体よりも前記収容部の高さ分だけ長く形成されていることにより、全体として複数の前記収容部が上から下へ整列する構成となるため、見た目に美しいカレンダーとすることが可能となる。
【００１７】
また、前記収容部には前記表示部に表示されている年月日等の内容を示す内容表示部が設けられていることにより、前記収容部をインデックスとして利用することも可能となる。
【００１８】
また、本発明のカレンダーの前記表示体を形成するシートを、坪量が１５０ｇ／ｍ２以上２５０ｇ／ｍ２以下の紙からなるものとすることにより、前記収容部を成形することが可能で、かつ、分厚過ぎないため壁に掛けた後に落下する虞のないカレンダーを提供することが可能となる。
【図面の簡単な説明】
【００１９】
【図１】本発明のカレンダーの第１の実施形態の表示体の展開図を模式的に示した説明図である。（ａ）は表紙、（ｂ）は１月分、（ｃ）は２月分、（ｄ）は１０月分、（ｅ）は１１月分、（ｆ）は１２月分の表示体である。
【図２】本発明のカレンダーの第１の実施形態を模式的に示した説明図であり、（ａ）は前面から見た図、（ｂ）は右側面から見た図である。
【図３】本発明のカレンダーの第１の実施形態の変形例を模式的に示した説明図であり、（ａ）は１枚の表示体の展開図、（ｂ）はカレンダー全体の斜視図である。
【図４】本発明のカレンダーの第２の実施形態を模式的に示した説明図であり、（ａ）（ｂ）は１枚の表示体の展開図、（ｃ）は前面から見た図、（ｄ）は右側面から見た図である。
【発明を実施するための形態】
【００２０】
＜第１の実施形態＞
以下、本発明を実施するための第１の実施形態につき図１〜３を参照して説明する。
【００２１】
本発明のカレンダー１は、年月日等を表示する表示部３と、表示部３の周囲に小物を収容する収容部４と、を有する表示体２からなる。表示部３と収容部４とは一枚のシートで構成されており、表示体２の下部を折り曲げ組み立てることにより、表示部３の下方に収容部４を形成する。
表示部３と収容部４とを１枚のシートで構成することにより、収容部４が落下する虞がなく、かつ、収容部４の位置を予め設定することができるため収容部４の位置がばらばらになること無く見た目にも美しいカレンダーとすることが可能である。
【００２２】
カレンダー１の表示体２を構成するシートは坪量が１５０ｇ／ｍ２以上２５０ｇ／ｍ２以下の紙からなることが好ましい。坪量が１５０ｇ／ｍ２未満の紙では収容部４を紙箱として成形することができず、２５０ｇ／ｍ２よりも大きい紙では、収容部４の成形はできるが、１枚の表示体２が分厚くなってしまい、重すぎるため、カレンダー１を壁にかけても落下してしまう。
カレンダー１の表示体２に使用する紙の適切な坪量を確認した結果を表１に示す。
【００２３】
【表１】
2017132115.tif 000003
【００２４】
表１において、「成形適性」は、表示体２を打ち抜きした後に紙箱として成形できるかを確認した結果を示しており、「○」は成形できたこと、「×」は成形できなかったことを意味する。また、「落下確認」はカレンダー１を市販の壁掛けフックを用いて壁に掛けて一日放置して観察した結果を示しており、「○」は落下しなかったこと、「×」は落下したことを意味する。
【００２５】
本実施形態においては、１ヶ月単位のカレンダーを想定しており、表紙及び１〜１２月分の１３枚の表示体２を有している。収容部４は、表紙及び１〜１１月分の表示体２に形成されている。これにより、古くなった表示体２を取り外す際に収容部４に収容された小物を取り出して当該小物の利用を開始することを促すことが可能となる。
【００２６】
図１（ａ）に示すように、表紙となる表示体２の下部には、収容部４を構成する面が連接されている。具体的には、表示部３の下方に連続する背面部４０の下方に折り目を介して上から順に底面部４１、前面部４２、上面部４３、接着部４４が連接されている。背面部４０の左右端及び前面部４２の左右端にはそれぞれフラップ４５、４６が連接され、上面部４３の左右端には蓋部４７が連接されている。
収容部４を組み立てる際にはまず、背面部４０から接着部４４の間の折り目線で折り曲げて接着部４４を背面部４０に貼り付けることにより、四角筒を形成する。その後、フラップ４５、４６を折り曲げ、蓋部４７をその先端が四角筒の内面に接するように折り曲げることにより箱状の収容部４を組み立てる。
【００２７】
図１（ｂ）は１月分の表示体２である。表紙の表示体２に形成される収容部４と１月分の表示体２に形成される収容部４が重ならないようにするため、１月分の表示体２は表紙の表示体２に比べて収容部４の高さ、すなわち前面部４２の高さの分だけ長く形成されている。このような構成とすることにより、収容部４を組み立てて表示体２の上端を合わせて重ね合わせた際に、図２に示すように、表紙の表示体２に形成される収容部４の下に１月分の表示体２に形成される収容部４が配置されることとなる。
各収容部４が重ならなければ良いため、後面の表示体２を長くする長さは収容部４の高さより大きければ良いが、各収容部４間に隙間が空いていると見た目の美しさが低減し、材料の無駄にもつながるため、収容部４の高さの分だけ長くすることが好ましい。
【００２８】
図１（ｃ）は２月分の表示体２である。前述と同様に、１月分の表示体に比べて収容部４の高さの分だけ長く形成されており、収容部４を組み立てて表示体２の上端を合わせて重ね合わせた際には、１月分の表示体２に形成される収容部４の下に２月分の表示体２に形成される収容部４が配置されることとなる。
なお、図面では３月分〜９月分の表示体２を省略しているが、１１月分（図１（ｅ））までは１月分、２月分と同様に、前月の表示体２に比べて収容部４の高さの分だけ長く形成されており、収容部４を組み立てて表示体２の上端を合わせて重ね合わせた際には、図２に示すように、前月分の表示体２に形成される収容部４の下に当月分の表示体２に形成される収容部４が配置されることとなる。
【００２９】
図１（ｆ）は１２月分の表示体２である。本実施形態においては表紙付きのカレンダーとしており、収容部４は、表紙及び１〜１１月分の表示体２に１２個形成しているため、１２月分の表示体２には収容部４を形成しない。１２月分の表示体２の長さは１１月分の表示体２より長くする必要はないため、本実施形態では１１月分の表示体２における背面部４０までと同じ長さにしている。
なお、図１では、各表示体２の表示部３を同じ大きさとしているが、例えば表示体２の長さを長くした分ずつ表示部３も大きくする等、表示部３の大きさや位置は適宜変更しても良い。
【００３０】
上述の通り表紙〜１１月分までの各表示体２の収容部４を組み立て、全ての表示体２の上端を合わせて重ね合わせると、図２に示すように、表示部３の下方に１月分〜１２月分の小物を収容した各収容部４が上から順に整列する見た目にも美しいカレンダー１ができる。
このとき、収容部４の前面部４２に「１月」「２月」のように収容されている小物を使用する期間、すなわち表示部３に表示されている月日の内容を示す内容表示部６を設けることにより、収容部４にインデックス機能を付与することも可能となる。
【００３１】
使用者がカレンダー１を使用する場合、１月になった際に表紙の表示体２に形成された収容部４から１月分の小物（例えば、歯ブラシ）を取出し、切り取り線５に沿って表紙の表示体２を切り離して取り出した歯ブラシの使用を開始する。そして、２月になった際には１月分の表示体２に形成された収容部４から２月分の歯ブラシを取出し、切り取り線５に沿って１月分の表示体２を切り離して新たに取り出した歯ブラシの使用を開始する。同様に毎月表示体２を切り離すと共に収容部４から取り出した歯ブラシに交換していく。
そして１２月になった際には、１１月分の表示体２に形成された収容部４から１２月分の歯ブラシを取出し、切り取り線５に沿って１１月分の表示体２を切り離して新たに取り出した歯ブラシの使用を開始する。
【００３２】
本実施形態においては、表紙付き１ヶ月単位のカレンダーとしたが、表紙は無くても良く、２ヶ月単位や１週間単位など、収容部４に収容する小物の推奨使用期間に合わせて表
示体２及び収容部４の数は適宜選択できる。
また、前月分の表示体２に収容部４を形成するのではなく、例えば１月使用分の小物は１月分の表示体２に形成された収容部４に収容することも可能であり、この場合、表紙には収容部４を形成せず、１月分〜１２月分の各表示体２に収容部４を形成する。
【００３３】
収容部４の大きさは特に限定されないが、横幅は表示体２の横幅と合わせた方が見た目に美しいので好ましい。収容部４の高さは、小物が収容できるだけの高さを備えていれば良いが、１つ１つの収容部４の高さがあまり高いと後面の表示体２に形成される収容部４がかなり低い位置に形成されることになってしまい、全体として異様に長いカレンダー１となってしまうため、５ｃｍ未満であることが好ましい。また、各収容部４の高さを変更することも可能だが、１月分〜１２月分まで同じ大きさのものが整然と並んでいる方が見た目に美しいため、全て同じ高さとすることが好ましい。
【００３４】
図３に、本実施形態の変形例を示す。図３の変形例では、曲面を有する形態の収容部４とし、２ヶ月毎の６枚の表示体２からなるカレンダー１としている。
【００３５】
図３（ａ）に示すように、表示体２の下部には、収容部４を構成する面が連接されている。具体的には、表示部３の下方に連続する背面部４８（ａ）の下方に折り目を介して前面部４８（ｂ）が連接されており、背面部４８（ａ）の上端に設けられた係止孔４８（ｄ）に前面部４８（ｂ）の下端に設けられた係止片４８（ｃ）を差し込んで係合することにより、半円柱状の筒が形成される。また、背面部４８（ａ）の左右端にはフラップ４９が連接されており、フラップ４９を折り曲げて前面部４８（ｂ）の内方に当接させることにより収容部４が形成される。
【００３６】
本変形例においても各表示体２の長さは、先の表示体２の長さに比べて収容部４の高さの分だけ長くすることにより、収容部４が重なることが無いため、嵩張らず見た目にも美しいカレンダー１とすることが可能となる。収容部４を組み立てた状態の各表示体２の上端を合わせて重ね合わせた状態を図３（ｂ）に示す。
【００３７】
＜第２の実施形態＞
以下、本発明を実施するための第２の実施形態につき図４を参照して説明する。
【００３８】
第２の実施形態においては、収容部４を縦長とし、各収容部４が左右方向に整列するように形成した点で第１の実施形態と異なる。
【００３９】
本実施形態においては、表示体２の下端の一部を伸ばして収容部４を形成する。例えば、図４（ａ）においては、表示体２の下方左端に収容部４を形成する場合を示している。表示体２の下部左端より、背面部４０１、右側面部４０２、前面部４０３、左側面部４０４、接着部４０５が折り目を介して連接されており、右側面部４０２、前面部４０３、及び左側面部４０４の上端には切り取り線が形成されている。また、右側面部４０２及び左側面部４０４の下端にはフラップ４０８が連接され、背面部４０１の下端には外蓋４０６が、前面部４０３の下端には内蓋４０７がそれぞれ連接されている。
収容部４を組み立てる際にはまず、右側面部４０２、前面部４０３、及び左側面部４０４の上端の切り取り線で表示体２から切り離した状態で背面部４０１から接着部４０５の間の折り目線で折り曲げて接着部４０５を背面部４０１に貼り付けることにより、四角筒を形成する。その後、フラップ４０８を折り曲げ、内蓋４０７をその先端が四角筒の内面に接するように折り曲げた後に外蓋４０８を内蓋４０７の上に重なるように倒して外蓋４０８の先端を内蓋４０７の差込口に差し込むことにより箱状の収容部４を組み立てる。
【００４０】
本実施形態では、収容部４の底面を内蓋４０７及び外蓋４０８の２枚蓋としているが、
これに限らず１枚蓋としても良い。ただし、収容部４に収容した小物が落下することのないよう、底面の蓋が誤って開かないような構造とすることが好ましい。
【００４１】
また、本実施形態においては各収容部４が左右方向に整列するため、図４（ａ）の表示体２の収容部４の右に配置する収容部４を有する表示体２は、図４（ｂ）に示すように、図４（ａ）の表示体２と比べて収容部４の幅の分だけ右にずれた位置に収容部４が形成される。
【００４２】
図４（ｃ）で４つある収容部４のうち、左側２つを図４（ａ）（ｂ）の表示体２で形成する。図４（ｃ）の右側２つの収容部４を形成する表示体２の展開図面は省略しているが、これらの表示体２においては、表示体２の下端の一部を伸ばして形成する収容部４の背面部４０１、右側面部４０２、前面部４０３、左側面部４０４、及び接着部４０５は、図４（ａ）（ｂ）とは逆に、背面部４０１、右側面部４０２、前面部４０３、左側面部４０４、接着部４０５の順番で右から折り目を介して連接される。
【００４３】
なお、本実施形態では各収容部４の幅を適宜変更した形態としているが、各収容部４の幅は統一しても良い。各収容部４が上下に整列する第１の実施形態とは異なり、本実施形態においては、幅は異なっていても見た目の美しさが損なわれることはない。また、収容部４の高さも、例えば左側の収容部４を短く、右側に行くほど長くする等、小物を収容することが可能で見た目の美しさを損なわない範囲であれば、収容部４の大きさは統一する必要がなく、適宜調整することが可能である。
【００４４】
使用者がカレンダー１０を使用する場合、最初の表示体２に形成された収容部４から１つ目の小物（例えば、剃刀）を取出して取り出した剃刀の使用を開始する。そして、表示部に表示された期間が過ぎると、切り取り線５に沿って最初の表示体２を切り離して２枚目の表示体２に形成された収容部４から２つ目の剃刀を取出し、新たに取り出した剃刀の使用を開始する。同様に毎回表示体２を切り離すと共に収容部４から取り出した剃刀に交換していく。
【符号の説明】
【００４５】
１、１０・・・カレンダー
２・・・表示体
３・・・表示部
４・・・収容部
５・・・切り取り線
６・・・内容表示部
【図１】
2017132115.tif 000004
【図２】
2017132115.tif 000005
【図３】
2017132115.tif 000006
【図４】
2017132115.tif 000007